(57)【特許請求の範囲】
【請求項１】
上面に開口部を有する有底筒状の容器本体と、
前記容器本体の開口部に開閉可能な状態で設けられた開閉蓋と、
前記容器本体の前記開口部の周縁において前記容器本体と前記開閉蓋とを連結し、前記容器本体に対して前記開閉蓋を開閉させるヒンジ部と、
前記容器本体内に設けられ、上面に開口を有する内ケースと、
前記内ケースの開口における前記ヒンジ部側の部分と前記開閉蓋とを連結する連結体と、
前記内ケース内に複数収納されており、複数の板状体を重ね合わせて形成され、前記内ケース内に収納された状態において、前記内ケースの底面側の端部が前記内ケースの開口側の端部に比べて肉薄となっているセンサと、
前記内ケースにおける前記開閉蓋と連結された前記ヒンジ部側の部分とは反対側の内面に設けられており、底面側の端部が前記ヒンジ部側、前記開口側の端部が前記ヒンジ部とは反対側に配置された傾斜面を形成する傾斜側面と、
を備えているセンサ収納容器。
【請求項２】
前記連結体は、前記内ケースと、前記開閉蓋における前記ヒンジ部側の端部から離間した部分とを連結する、
請求項１に記載のセンサ収納容器。
【請求項３】
前記センサは、前記内ケースの底面側の端部に、複数の板状体の非重合部と、前記非重合部から露出された電極と、を有している、
請求項１または２に記載のセンサ収納容器。
【請求項４】
前記連結体は、可撓性を有している、
請求項１から３のいずれかに記載のセンサ収納容器。
【請求項５】
前記内ケースにおける前記連結体と連結された側の壁面は、前記内ケースを構成する他の壁面よりも高さが低い、
請求項１から４のいずれか１項に記載のセンサ収納容器。
【請求項６】
前記内ケースは、前記ヒンジ部とは反対側の外周面の下方に設けられた突起状の第１ストッパを有し、
前記容器本体は、前記ヒンジ部とは反対側の内周面における上方に、前記第１ストッパに対向配置された第２ストッパを有している、
請求項１から５のいずれか１項に記載のセンサ収納容器。
【請求項７】
上面に開口部を有する有底筒状の容器本体と、
前記容器本体の開口部に開閉可能な状態で設けられた開閉蓋と、
前記容器本体の前記開口部の周縁において前記容器本体と前記開閉蓋とを連結し、前記容器本体に対して前記開閉蓋を開閉させるヒンジ部と、
前記容器本体内に設けられ、上面に開口を有する内ケースと、
前記内ケースの開口における前記ヒンジ部側の部分と前記開閉蓋とを連結する連結体と、
前記内ケース内に複数収納されており、複数の板状体を重ね合わせて形成され、前記内ケース内に収納された状態において、前記内ケースの底面側の端部が前記内ケースの開口側の端部に比べて肉薄となっているセンサと、
前記内ケースの底部分に設けられており、前記内ケースの底面における前記ヒンジ部側から前記ヒンジ部とは反対側の端部に向かって下方傾斜する傾斜底面と、
を備えているセンサ収納容器。
【請求項８】
前記連結体は、前記内ケースと、前記開閉蓋における前記ヒンジ部側の端部から離間した部分とを連結する、
請求項７に記載のセンサ収納容器。
【請求項９】
前記センサは、前記内ケースの底面側の端部に、複数の板状体の非重合部と、前記非重合部から露出された電極と、を有している、
請求項７または８に記載のセンサ収納容器。
【請求項１０】
前記連結体は、可撓性を有している、
請求項７から９のいずれかに記載のセンサ収納容器。
【請求項１１】
前記内ケースにおける前記連結体と連結された側の壁面は、前記内ケースを構成する他の壁面よりも高さが低い、
請求項７から１０のいずれか１項に記載のセンサ収納容器。
【請求項１２】
前記内ケースは、前記ヒンジ部とは反対側の外周面の下方に設けられた突起状の第１ストッパを有し、
前記容器本体は、前記ヒンジ部とは反対側の内周面における上方に、前記第１ストッパに対向配置された第２ストッパを有している、
請求項７から１１のいずれか１項に記載のセンサ収納容器。
【請求項１３】
上面に開口部を有する有底筒状の容器本体と、
前記容器本体の開口部に開閉可能な状態で設けられた開閉蓋と、
前記容器本体の前記開口部の周縁において前記容器本体と前記開閉蓋とを連結し、前記容器本体に対して前記開閉蓋を開閉させるヒンジ部と、
前記容器本体内に設けられ、上面に開口を有する内ケースと、
前記内ケースの開口における前記ヒンジ部側の部分と前記開閉蓋とを連結する連結体と、
前記内ケース内に複数収納されており、複数の板状体を重ね合わせて形成され、前記内ケース内に収納された状態において、前記内ケースの底面側の端部が前記内ケースの開口側の端部に比べて肉薄となっているセンサと、
前記センサを収納するために、前記内ケースに設けられた複数の収納部と、
を備え、
前記内ケースは、前記複数の収納部を隔てる隔壁部と、前記隔壁部に対向する両側面部と、前記両側面部同士をつなぐ側面部と、を有し、
前記側面部は、平面視において、前記隔壁部側が前記ヒンジ部から離れた位置に、両側面部側が前記隔壁部側よりも前記ヒンジ部側に近い位置に配置された傾斜面を有する、
センサ収納容器。
【請求項１４】
前記連結体は、前記内ケースと、前記開閉蓋における前記ヒンジ部側の端部から離間した部分とを連結する、
請求項１３に記載のセンサ収納容器。
【請求項１５】
前記センサは、前記内ケースの底面側の端部に、複数の板状体の非重合部と、前記非重合部から露出された電極と、を有している、
請求項１３または１４に記載のセンサ収納容器。
【請求項１６】
前記連結体は、可撓性を有している、
請求項１３から１５のいずれかに記載のセンサ収納容器。
【請求項１７】
前記内ケースにおける前記連結体と連結された側の壁面は、前記内ケースを構成する他の壁面よりも高さが低い、
請求項１３から１６のいずれか１項に記載のセンサ収納容器。
【請求項１８】
前記内ケースは、前記ヒンジ部とは反対側の外周面の下方に設けられた突起状の第１ストッパを有し、
前記容器本体は、前記ヒンジ部とは反対側の内周面における上方に、前記第１ストッパに対向配置された第２ストッパを有している、
請求項１３から１７のいずれか１項に記載のセンサ収納容器。
【発明の詳細な説明】
【技術分野】
【０００１】
本発明は、板状のセンサを収納するセンサ収納容器に関するものである。
【背景技術】
【０００２】
例えば、血糖値の検査に用いられるセンサは、センサ収納容器内に複数枚収納された状態で使用者に持ち歩かれることがある。そして、センサは、使用時には、センサ収納容器内から一枚ずつ取り出されて使用される。
センサ収納容器からセンサを取り出す際には、センサ収納容器を手で把持し、これを傾けたり振ったりすることにより、センサが一枚ずつ取り出される（例えば、特許文献１参照）。
【先行技術文献】
【特許文献】
【０００３】
【特許文献１】特開２００３−１４６３８１号公報
【発明の概要】
【０００４】
上記公報に開示された従来のセンサ収納容器では、センサ収納容器を傾けたり振ったりする方法では、センサをスムーズに取り出すことができないおそれがある。
すなわち、この従来例の構成では、センサを１枚ずつ取り出すために、センサ取出口が設けられている。しかし、センサ収納容器を傾ける等した際に、センサ取出口に対して複数枚のセンサが進行した場合、センサがセンサ取出口部分に詰まった状態となってしまう。その結果、センサをスムーズに取り出すことができなくなるおそれがある。
【０００５】
そこで、本発明は、センサを１枚ずつスムーズに取り出すことが可能なセンサ収納容器を提供することを目的とするものである。
上記の目的を達成するために、本発明のセンサ収納容器は、有底筒状の容器本体と、開閉蓋と、ヒンジ部と、内ケースと、連結体と、を備えている。容器本体は、上面に開口部を有する。開閉蓋は、容器本体の開口部に開閉可能な状態で設けられている。ヒンジ部は、容器本体の開口部の周縁において容器本体と開閉蓋とを連結し、容器本体に対して開閉蓋を開閉させる。内ケースは、容器本体内に設けられ、上面に開口を有し、複数のセンサを収納する。連結体は、内ケースの開口におけるヒンジ部側の部分と開閉蓋とを連結する。
【０００６】
本発明によれば、開閉蓋を開放すれば、これに連結された内ケースが容器本体内において開口部側へ移動するため、内ケース内に収納されたセンサを、容器本体の開口部から露出させることができる。この結果、容器本体の上面開口部から露出したセンサのうちの１枚を指で摘んで簡単に取り出すことができる。
【図面の簡単な説明】
【０００７】
【図１】本発明の実施形態１に係るセンサ収納容器を示す斜視図。
【図２】図１のセンサ収納容器の断面図。
【図３】図１のセンサ収納容器を指で開ける状態を表した斜視図。
【図４】図１のセンサ収納容器の断面図。
【図５】図１のセンサ収納容器からセンサを指で取り出す状態を表した断面図。
【図６】図１のセンサ収納容器に収納されるセンサの構成を示す分解斜視図。
【図７】（ａ）は、図６のセンサの構成を示す平面図。（ｂ）は、図６のセンサの構成を示す側面図。
【図８】本発明の実施形態２に係るセンサ収納容器の構成を示す平面図。
【図９】本発明の実施形態３に係るセンサ収納容器の構成を示す平面図。
【図１０】本発明の実施形態４に係るセンサ収納容器の内ケースの要部拡大図。
【図１１】本発明の実施形態５に係るセンサ収納容器の透視図。
【図１２】本発明の実施形態５に係るセンサ収納容器の透視図。
【発明を実施するための形態】
【０００８】
以下、本発明の一実施形態に係るセンサ収納容器ついて、添付図面を用いて説明する。
（実施の形態１）
本実施形態のセンサ収納容器は、例えば、血糖値等を測定する生体試料測定センサ（センサ８）を複数収納するための容器であって、図１に示すように、有底円筒状の容器本体１と、開閉蓋２と、ヒンジ部３と、内ケース７と、連結体（連結部）９と、を備えている。
【０００９】
有底円筒状の容器本体１は、上面に開口部を有する。
開閉蓋２は、容器本体１の開口部に開閉可能な状態で設けられている。
ヒンジ部３は、容器本体１の開口部における周縁の部分と開閉蓋２の一部とを連結している。
つまり、開閉蓋２は、容器本体１の開口部周縁において、図２に示すように、ヒンジ部３を介して容器本体１に連結されている。そして、ヒンジ部３とは反対側に設けられたつまみ部４を上方に持ち上げれば、ヒンジ部３を中心に回動した開閉蓋２が開けられた状態となり、容器本体１の開口部が外部へ露出される。
【００１０】
なお、図３は、開閉蓋２が容器本体１に対して若干開放された状態を示している。この時、左手の指５は、容器本体１を持ち、右方の手の指６は、開閉蓋２を持った状態となっている。そして、この状態から、指６によってさらに開閉蓋２を開けていくことで、図４に示すように、開閉蓋２が容器本体１に対して全開状態となる。
内ケース７は、図２に示すように、上面に開口を有する有底筒状のケースであって、開閉蓋２の開閉に伴って、容器本体１内において上下動可能な状態で、容器本体１内に収納されている。また、内ケース７内には、図２および図４に示すように、複数枚のセンサ８が収納されている。
【００１１】
連結体９は、可撓性を有しており、内ケース７の開口におけるヒンジ部３側の部分と、開閉蓋２におけるヒンジ部３側の端部から離間した部分とを連結する。より詳細には、連結体９の第１端が、内ケース７の開口におけるヒンジ部３側の部分に連結されている。そして、第１端とは反対側の第２端が、開閉蓋２におけるヒンジ部３側の端部から所定の距離だけ離れた部分に連結されている。
【００１２】
つまり、内ケース７は、ヒンジ部３側において、可撓性の連結体９を介して、開閉蓋２に連結されている。このため、図２に示すように、容器本体１の上面開口部に開閉蓋２を被せた状態では、内ケース７は容器本体１内における下方空間に保持される。この状態では、センサ８の上端は、容器本体１内に収納された状態となっている。
これに対して、図４に示すように、容器本体１の上面開口部に対して開閉蓋２を全開にした状態では、開閉蓋２を開く動作に伴って、連結体９の第２端が開閉蓋２とともに容器本体１の上面外方に移動する。この結果、内ケース７は、連結体９によって引っ張り上げられるようにして容器本体１内において上方に移動する。この状態では、センサ８の上端は、容器本体１の上面開口部よりも上方に突出した状態となる。
【００１３】
これにより、センサ収納容器からセンサ８を取り出す際には、センサ８の上端が開口部から上方に飛び出して開放された状態となるため、容易に取り出すことができる。
また、本実施形態のセンサ収納容器では、図２に示すように、内ケース７の開閉蓋２への連結部１０とは反対側の内面には、下部が連結部１０側、上部が連結部１０とは反対側となる傾斜側面１１が設けられている。
【００１４】
これにより、内ケース７に挿入されたセンサ８のうち、連結部１０とは反対側に保持されたセンサ８は、図２および図４に示すように、鉛直方向に対してつまみ部４側に傾いた状態で保持される。
さらに、本実施形態のセンサ収納容器では、内ケース７の底面には、連結部１０側が上方、連結部１０側とは反対側が下方となる傾斜底面１２が設けられている。
【００１５】
換言すれば、傾斜底面１２は、内ケース７の底部分において、連結部１０側からその反対側に向かって下方傾斜するように設けられている。
これにより、内ケース７に挿入されたセンサ８は、図２および図４に示すように、鉛直方向に対してつまみ部４側に倒れた状態で保持される。
本実施形態では、上記の傾斜側面１１および傾斜底面１２によってセンサ８の保持状態を調整することで、図４に示すように、開閉蓋２を開放して内ケース７が容器本体１内において上昇した状態において、センサ８の上端が、下端側に比べて大きく広がった状態を形成することができる。
【００１６】
このため、使用者は、図５に示すように、１枚のセンサ８の上端側の部分を容易に摘まんで、センサ８を取り出すことができる。
本実施形態では、センサ収納容器に収納されるセンサ８は、図６および図７に示すように、基板１３上に、板状のスペーサ１４と板状のカバー１５とを重ね合わせて形成されている。
【００１７】
より具体的には、基板１３上には、作用極となる電極１６と対極となる電極１７と検知極となる電極１８とが所定間隔で配置されている。そして、センサ８の第１端側において、電極１６〜１８上に試薬１９が載せられた状態となっている。
また、スペーサ１４には、センサ８の一端側から試薬１９上にまで伸びる試薬供給路２０が形成されている。
【００１８】
さらに、カバー１５の試薬供給路２０の後方側に対向する部分には、空気孔２１が形成されている。
つまり、血液を試薬供給路２０の第１端側に点着すれば、試薬供給路２０の毛細管現象によって血液が試薬１９へと進行する。そして、血液と試薬１９との反応により、血糖値が測定される。また、そのような測定を行うために、センサ８の第２端側においては、測定装置への電気的な接続を行うために、電極１６〜１８が露出されている。
【００１９】
つまり、スペーサ１４とカバー１５とは、基板１３の第１端側において、基板１３に重ね合わせられている。一方、基板１３の第１端の反対側の第２端側においては、スペーサ１４およびカバー１５の長さが基板１３よりも短いため、基板１３上にスペーサ１４とカバー１５とが非重合の状態となる。
これにより、電極１６〜１８は、カバー１５等に覆われることなく、外部に露出した状態となる。また、このようにセンサ８の第２端側は、スペーサ１４とカバー１５とが重ね合わされていないため、第１端側と比較して厚みが薄くなっている。
【００２０】
ここで、センサ８は、図２および図４に示すように、肉薄な第２端側が内ケース７内の下方を向くように内ケース７内に複数枚収納されている。
したがって、図２に示すように、内ケース７が容器本体１内に収納され、開閉蓋２が閉じられた状態から、図４に示すように、開閉蓋２が開放され内ケース７が上昇してセンサ８の上端（第１端側）が容器本体１の上面開口部上に突出した状態になると、図４に示すように、厚みの薄いセンサ８の下端側（第２端側）は隣接するセンサ８の下端との間隔が狭まった状態となる。
【００２１】
これに対して、センサ８の上端は、センサの下端側の間隔が狭まることにより、隣接するセンサ８の上端との間隔が広がる。つまり、複数のセンサ８は、孔雀が羽を広げるような状態となるので、図４に示すように、容器本体１の上面開口部から上方に突出した１枚のセンサ８の上端を、図５に示すように、容易につまみ出すことができる。
また、このように隣接するセンサ８の上端の間隔が広がるのは、上述した傾斜側面１１と傾斜底面１２とが所望の方向へ傾斜している構成も寄与している。
【００２２】
なお、本実施形態では、センサ８の上端間を広げるために、上述のように、内ケース７に挿入されるセンサ８の下端側を、取り出す際に指で摘まれる上端側よりも薄肉化するために、スペーサ１４、カバー１５を重ね合わせずに電極１６〜１８を露出させている。
しかし、電極１６〜１８は、内ケース７内において下向きに挿入されているため、センサ８の電極１６〜１８の部分は、内ケース７の底面側に配置される。よって、図５に示すように、指で摘み出すときに、指が電極１６〜１８に触れてしまうことを回避できる。
【００２３】
この結果、電極１６〜１８を指で触ったことが原因となって、電極１６〜１８の表面が汚れ、電気的接続状態が不良となってしまうことを防止することができる。
（実施の形態２）
本発明の実施の形態２に係るセンサ収納容器について、図８を用いて説明すれば以下の通りである。
【００２４】
本実施形態では、内ケース２２は、図８に示すように、センサ収納容器の平面視において、ヒンジ部３に対して対称となる位置に、２つ（複数の一例）の収納部２３を有している。
ここで、収納部２３は、ヒンジ部３に平行な方向において、それぞれがセンサの幅よりも若干広い寸法を有している。
【００２５】
このような収納部２３を複数設けたことで、１つの収納部２３内において、複数のセンサ８を整列させた縦列状態で収納することができる。よって、図５に示すように、内ケース２２を容器本体１の上面開口部上に引き出せば、１枚のセンサ８をよりつまみ出しやすくすることができる。
（実施の形態３）
本発明の実施の形態３に係るセンサ収納容器について、図９を用いて説明すれば以下の通りである。
【００２６】
本実施形態では、内ケース２４は、図９に示すように、ヒンジ部３に対して、対称位置に２つ（複数の一例）の収納部２５を有する。
さらに本実施形態では、内ケース２４における互いに隣接する収納部２５，２５は、その間を隔てる隔壁部２６と、隔壁部２６に対向する両側面部２７と、両側面部２７同士をつなぐ側面部２８と、を有している。そして、側面部２８は、隔壁部２６側がヒンジ部３から離れた位置にあり、両側面部２７側が隔壁部２６側よりもヒンジ部３側に近い位置に配置された傾斜面を有している。
【００２７】
ここで、左右の収納部２５にそれぞれ収納されたセンサ８は、互いに異なる方向に傾斜させた状態で収納される。つまり、左右の収納部２５に収納されたセンサ８は、それぞれ、平面視において上記のように傾斜した側面部２８に対して面を合わせるように収納される。
これにより、隣接する複数の収納部２５，２５に収納されたセンサ８を１枚だけつまみ出す際には、隣接する収納２５に収納されたセンサ８の向きが異なるため、よりつまみ出しやすくすることができる。
【００２８】
（実施の形態４）
本発明の実施の形態４に係るセンサ収納容器について、図１０を用いて説明すれば以下の通りである。
本実施形態では、図８に示した内ケース２２における可撓性を有する連結体９と連結された側、つまり容器本体１の壁面２９を、内ケース２２を構成する他の壁面よりも高さを低くしている。そして、この状態で、外周面２９の上端に連結体９の第１端を連結している。
【００２９】
これにより、例えば、図４からも理解されるように、開閉蓋４側において、センサ８を摘み出す指を、壁面２９が低い分だけ、より下方まで挿入することができる。よって、１枚のセンサ８をより摘み出しやすくすることができる。
すなわち、センサ８を摘む指をより下方まで挿入して連結体９に指が触れる部分まで挿入することができる。よって、図１０に示す構成により、内ケース２２において指をより奥まで挿入して、１枚のセンサ８を摘み出し易くすることができる。
【００３０】
（実施の形態５）
本発明の実施の形態５に係るセンサ収納容器について、図１１および図１２を用いて説明すれば以下の通りである。
本実施形態では、図１１に示すように、内ケース７が、ヒンジ部３とは反対側の外周面の下方に、突起状のストッパ３０を有している。
【００３１】
また、容器本体１は、ヒンジ部３とは反対側の内周面における上方に、ストッパ３１を有している。
そして、内ケース７側のストッパ３０と、容器本体１側のストッパ３１とは、互いに対向配置されており、開閉蓋２を閉めた状態においては、図１１に示すように、ストッパ３１が対向配置されたストッパ３０よりも上方に配置される。
【００３２】
そして、本実施形態のセンサ収納容器では、図１２に示すように、開閉蓋２を開放して内ケース７が上昇した状態になると、ストッパ３０の上面とストッパ３１の下面とが互いに当接する。
これにより、開閉蓋２を開けた際に、ストッパ３０，３１が当接することで、内ケース７が容器本体１外に飛び出さないようにすることができる。
【産業上の利用可能性】
【００３３】
以上のように、本発明のセンサ収納容器は、センサを１枚ずつスムーズに取り出すことができるという効果を奏するものであることから、各種センサを収納する容器に対して広く適用可能である。
【符号の説明】
【００３４】
１      容器本体
２      開閉蓋
３      ヒンジ部
４      つまみ部
５      指
６      指
７      内ケース
８      センサ
９      連結体
１０      連結部
１１      傾斜側面
１２      傾斜底面
１３      基板
１４      スペーサ
１５      カバー
１６      電極
１７      電極
１８      電極
１９      試薬
２０      試薬供給路
２１      空気孔
２２      内ケース
２３      収納部
２４      内ケース
２５      収納部
２６      隔壁部
２７      両側面部
２８      側面部
２９      外周面
３０      ストッパ
３１      ストッパ
【図１】
0005931184.tif 000002
【図２】
0005931184.tif 000003
【図３】
0005931184.tif 000004
【図４】
0005931184.tif 000005
【図５】
0005931184.tif 000006
【図６】
0005931184.tif 000007
【図７】
0005931184.tif 000008
【図８】
0005931184.tif 000009
【図９】
0005931184.tif 000010
【図１０】
0005931184.tif 000011
【図１１】
0005931184.tif 000012
【図１２】
0005931184.tif 000013